(57)【要約】      （修正有）【課題】電子機器及び表示方法を提供する。【解決手段】電子機器は、記憶部と、予約制御部と、重複予約する際の情報を表示部に表示する表示制御部とを備える。予約制御部は、重複予約の情報の第１乃至第４の情報を生成する。第１の情報は、新規録画予約の第１の番組の、番組名および放送日時を含む。第２の情報は、記憶部に保存されている録画予約情報のうち、第１の番組の放送時間と重複する放送時間の第２の番組の番組名および放送日時を含む。第３の情報は、第１の番組が第１の放送日時と異なる第３の放送日時に放送される場合、第１の番組の第１の番組名、第３の放送日時を含む。第４の情報は、第２の番組が第２の放送日時と異なる第４の放送日時に放送される場合、第２の番組の番組名、第４の放送日時を含む。表示制御部は、第１乃至第４の情報を表示可能としており、第３、第４の情報の選択的な指定により、重複した録画予約を回避可能とする。【選択図】図１
2019154052.tif 000002
【特許請求の範囲】
【請求項１】
番組の録画予約情報を保持する記憶部と、
番組の新規録画予約を制御する予約制御部と、
前記予約制御部が制御する前記番組の新規録画予約において、重複予約する際の情報を表示部に表示する制御を行う表示制御部と、
を具備し、
前記予約制御部は、前記重複予約に関する情報として、第１の情報、第２の情報、第３の情報及び第４の情報を生成し、
前記第１の情報は、新規録画予約の第１の番組の情報であり、前記第１の番組の第１の番組名および第１の放送日時を含み、
前記第２の情報は、前記記憶部に保存されている前記録画予約情報のうち、前記第１の番組の放送時間と重複する放送時間の第２の番組の情報であり、前記第２の番組の第２の番組名および第２の放送日時を含み、
前記第３の情報は、前記第１の番組が前記第１の放送日時と異なる第３の放送日時に放送される場合、前記第１の番組の第１の番組名、前記第３の放送日時を含む情報であり、
前記第４の情報は、前記第２の番組が前記第２の放送日時と異なる第４の放送日時に放送される場合、前記第２の番組の第２の番組名、前記第４の放送日時を含む情報であり、
前記表示制御部は、前記第１の情報、前記第２の情報、前記第３の情報及び前記第４の情報を表示可能としており、前記第３の情報、前記第４の情報の選択的な指定により、重複した録画予約を回避可能とした、電子機器。
【請求項２】
前記表示制御部は、
前記第３の情報と前記第４の情報の再放送がある場合、再放送の放送日時と番組名を一覧表示可能とする請求項１に記載の電子機器。
【請求項３】
番組の録画予約情報を保持する記憶部と、番組の新規録画予約を制御する予約制御部と、前記予約制御部が制御する前記番組の新規録画予約において、重複予約する際の情報を表示部に表示する制御を行う表示制御部と、を用いる表示方法において、
前記予約制御部は、前記重複予約に関する情報として、第１の情報、第２の情報、第３の情報及び第４の情報を生成し、
前記第１の情報は、新規録画予約の第１の番組の情報であり、前記第１の番組の第１の番組名および第１の放送日時を含み、
前記第２の情報は、前記記憶部に保存されている前記録画予約情報のうち、前記第１の番組の放送時間と重複する放送時間の第２の番組の情報であり、前記第２の番組の第２の番組名および第２の放送日時を含み、
前記第３の情報は、前記第１の番組が前記第１の放送日時と異なる第３の放送日時に放送される場合、前記第１の番組の第１の番組名、前記第３の放送日時を含む情報であり、
前記第４の情報は、前記第２の番組が前記第２の放送日時と異なる第４の放送日時に放送される場合、前記第２の番組の第２の番組名、前記第４の放送日時を含む情報であり、
前記表示制御部は、前記第１の情報、前記第２の情報、前記第３の情報及び前記第４の情報を表示可能としており、前記第３の情報、前記第４の情報の選択的な指定により、重複した録画予約を回避可能とした、表示方法。
【請求項４】
前記表示制御部により、前記第３の情報と前記第４の情報の再放送がある場合、再放送の放送日時と番組名を一覧表示可能とする請求項３に記載の表示方法。
【発明の詳細な説明】
【技術分野】
【０００１】
この発明は、電子機器及び表示方法に関する。
【背景技術】
【０００２】
テレビジョン受信装置（以下テレビ装置と呼称する）あるいはディスプレイ装置と接続するレコーダー装置は、放送事業者が放送する番組や配信事業者が供給する番組もしくはネットワークを通じて取得可能なコンテンツ（番組）を再生する。また、レコーダー装置あるいは記憶装置が接続された場合に番組を録画可能なテレビ装置は、再生中の番組を含め、同一時間帯に放送（供給）されている任意数の番組を録画できる。なお、録画予約を新たに登録しようとした場合であって、既に同時に録画可能な番組の上限数に達している（録画予約が重複する）場合には、新たな録画予約が登録できないことを表示する。
【先行技術文献】
【特許文献】
【０００３】
【特許文献１】特開平１０−２１６０１号公報
【発明の概要】
【発明が解決しようとする課題】
【０００４】
録画予約の重複により録画予約を登録できなかった番組は、例えば再放送番組として、異なる日時に放送する場合がある。また、録画予約の重複により録画予約できなかった番組を、他局が異なる日時に放送する場合がある。
【０００５】
しかしながら、再放送番組として異なる日時に放送がある場合や、他局が異なる日時に放送する場合のいずれの場合においても、その日時を検索し、新たに録画を予約することが必要である。
【０００６】
この発明の目的は、録画予約の重複により録画予約できなかった番組の録画予約を実現する電子機器及び表示方法を提供することである。
【課題を解決するための手段】
【０００７】
実施形態の電子機器は、番組の録画予約情報を保持する記憶部と、番組の新規録画予約を制御する予約制御部と、前記予約制御部が制御する前記番組の新規録画予約において、重複予約する際の情報を表示部に表示する制御を行う表示制御部と、を具備し、
前記予約制御部は、前記重複予約に関する情報として、第１の情報、第２の情報、第３の情報及び第４の情報を生成し、
前記第１の情報は、新規録画予約の第１の番組の情報であり、前記第１の番組の第１の番組名および第１の放送日時を含み、
前記第２の情報は、前記記憶部に保存されている前記録画予約情報のうち、前記第１の番組の放送時間と重複する放送時間の第２の番組の情報であり、前記第２の番組の第２の番組名および第２の放送日時を含み、
前記第３の情報は、前記第１の番組が前記第１の放送日時と異なる第３の放送日時に放送される場合、前記第１の番組の第１の番組名、前記第３の放送日時を含む情報であり、
前記第４の情報は、前記第２の番組が前記第２の放送日時と異なる第４の放送日時に放送される場合、前記第２の番組の第２の番組名、前記第４の放送日時を含む情報であり、
前記表示制御部は、前記第１の情報、前記第２の情報、前記第３の情報及び前記第４の情報を表示可能としており、前記第３の情報、前記第４の情報の選択的な指定により、重複した録画予約を回避可能としている。
【図面の簡単な説明】
【０００８】
【図１】実施形態に係る記録装置（電子機器）の一例を示す。
【図２】実施形態に係る記録装置が表示する番組表表示の一例を示す図。
【図３】実施形態に係る記録装置が表示する録画予約画面表示の一例を示す図。
【図４】実施形態に係る記録装置が表示する録画予約画面表示の一例を示す図。
【図５】実施形態に係る記録装置が表示する録画予約画面表示の一例を示す図。
【図６】実施形態に係る記録装置の動作の一例をソフトウェア的に示す図。
【図７】実施形態に係る記録装置が表示する録画予約画面表示の一例を示す図。
【図８】実施形態に係る記録装置が表示する録画予約画面表示の一例を示す図。
【図９】実施形態に係る記録装置が表示する録画予約画面表示の一例を示す図。
【図１０】実施形態に係る記録装置が表示する録画予約画面表示の一例を示す図。
【図１１】実施形態に係る記録装置が表示する録画予約画面表示の一例を示す図。
【発明を実施するための形態】
【０００９】
以下、図面を参照して、本発明の実施の一形態について説明する。
【００１０】
図１は、実施形態に係る電子機器の一例を示す。
【００１１】
図１が示す電子機器は、記録装置が接続され、例えば任意の時間帯に放送事業者が放送する任意数の番組を記録可能なテレビジョン放送受信装置（以下、テレビ装置と称する）である。なお、テレビ装置は、例えばレコーダー装置及びレコーダー装置と接続する表示装置（モニタ装置）であってもよい。また、テレビ装置は、番組を受信可能なパーソナルコンピュータ（ＰＣ）や表示部を有する携帯可能な端末装置であってもよい。なお、番組は、配信事業者がネットワーク、等を通じて配信するコンテンツであってもよい。また、番組は、ユーザーがアクセスした場合、所定の条件に基づいて取得可能に情報供給元が用意するコンテンツであってもよい。なお、番組は、ストリームあるいは情報と称する場合もある。また、番組は、映像及び映像に付属する音声や音楽からなる。映像は、動画と静止画またはテキスト（コード化された符号列で示される文字や記号、等で表される情報）の少なくとも１つを含む。
【００１２】
テレビ装置１は、入力部（チューナ部）１１、信号処理部（ＴＳ分離部）１２、映像処理ブロック２１、音声処理ブロック３１及び主制御ブロック５１、等を含む。
【００１３】
主制御ブロック５１は、ＣＰＵ（主処理回路）５２、ＲＯＭ（読出専用メモリ）５３、ＲＡＭ（ランダムアクセスメモリ（ワークメモリ））５４、ＮＶＭ（不揮発性（書き換え可能）メモリ）５５、記録／再生処理部５６、番組情報取得部５７、番組表生成部５８、予約制御部５９、等、を含む。主制御ブロック５１は、後段に説明する操作部６１、受信部６２、通信インターフェース６３、ネットワーク制御部６４、ＵＳＢインターフェース６５、ＨＤＭＩ（登録商標）インターフェース６６及び記憶装置６７、等と接続し、それぞれの動作を制御する。
【００１４】
入力部１１は、アンテナＡＮＴと接続し、空間波、例えば送信局からの地表波もしくは放送衛星（ＢＳ（Broadcasting Satellite）または通信衛星ＣＳ（Communication Satellite））が中継する衛星波の何れかである放送信号すなわち番組を受信する。入力部１１はまた、例えばＳＴＢ（Set Top Box）を経由する外部入力コンテンツ（番組）を受信する。なお、入力部１１は、例えばビデオカメラ装置が提供する映像も取得できる。
【００１５】
入力部１１は、例えば３チャンネル（３つの放送局あるいは番組供給元）の番組を選局できる。すなわち、入力部１１は、一例であるが、３つのチューナを含む。以下、入力部１１の３つのチューナは、１チャンネル分（１つのチューナ）がＢＳ／ＣＳデジタル放送の番組の何れかを選局できる２波チューナであり、他の２チャンネル分（２つのチューナ）が、地上／ＢＳ／ＣＳデジタル放送の番組の何れかを選局できる３波チューナであるものとして説明する。なお、入力部１１は、チューナを増設することで、例えば６チャンネルもしくは９チャンネル、あるいはそれ以上のチャンネルの番組を受信（選局）可能とすることができる。
【００１６】
信号処理部（ＴＳ分離部）１２は、入力部１１が受信して選局した任意のチャンネルの放送すなわち番組を、ＴＳ（Transport Stream）すなわち映像信号（Video）、音声信号（Audio）及び制御情報に分離する。なお、制御情報は、例えばＴＳ（ストリーム）の分配規則やＴＳの内容（番組の説明）、放送スケジュールあるいは再放送の番組である、等を記述したＰＳＩ（Program Specific Information）もしくはＳＩ（Service Information）すなわち番組配列情報、等を含む。
【００１７】
映像信号（Video）は、映像処理ブロック２１の映像デコーダ２２がデコードし、デジタル映像信号（ビデオ出力）として出力する。また、映像処理ブロック２１には、表示部（ディスプレイ）２６が接続する。なお、ディスプレイ２６は、テレビ装置１と別体であってもよい。
【００１８】
映像処理ブロック２１は、映像（Video）デコーダ２２、映像（Video）処理部２３、ＯＳＤ（On Screen Display）処理部２４及び表示制御部２５、等を含む。
【００１９】
映像処理部２３は、映像デコーダ２２がデコードしたデジタル映像信号（Video）を、ディスプレイ２６が表示（再生）可能な所定の解像度及び出力方式に変換する。
【００２０】
ＯＳＤ処理部２４は、後段に説明する番組表生成部５８が生成する番組表データに基づく番組表表示信号を、表示制御部２５がディスプレイ２６に出力する映像信号（Video）と重ね合わせて表示可能に、表示制御部２５に出力する。なお、番組表表示信号を重ね合わせる映像信号は、例えばＧＵＩ（Graphical User Interface）表示のための黒画面表示信号、等である場合もある。また、番組表表示信号は、映像信号（Video）に基づいてディスプレイ２６が表示する画面表示の一部を透過可能に生成されてもよい。
【００２１】
表示制御部２５は、映像処理部２３が変換した映像信号を、ディスプレイ２６における好適な表示（映像再生）が可能な表示駆動信号に変換する。表示制御部２５はまた、映像処理部２３からの表示駆動信号にＯＳＤ処理部２４からのＯＳＤ（On Screen Display）信号を重ね合わせる。なお、表示制御部２５の出力は、例えば外部に接続する外部モニタ装置、あるいは投影装置（プロジェクタ装置）等が接続可能な出力端２７に出力されてもよい。
【００２２】
音声処理ブロック３１は、音声（Audio）デコーダ３２、音声（Audio）処理部３３、遅延部３４及びＤ−Ａ（Digital to Analog）コンバータ３５、等を含む。また、音声処理ブロック３１には、スピーカ３６が接続する。なお、スピーカ３６は、テレビ装置１と別体であってもよい。
【００２３】
音声処理部３３は、音声デコーダ３２がデコードした音声信号（Audio）を、スピーカ３６による好適な再生が可能な所定の形式に変換する。音声信号については、Ｄ−Ａコンバータ３５において、さらにアナログ音声出力信号に変換する。これにより、Ｄ−Ａコンバータ３５にスピーカ３６を接続した場合、スピーカ３６が可聴音（アナログ音声（Audio）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して遅延部３４が所定の遅延（時間）を与える。例えばコンテンツがゲームである場合、遅延部３４が規定する遅延（時間）の大きさ（長さ）は、番組を再生する場合に適用する遅延（時間）の大きさ（長さ）よりも小さい（短い）。
【００２４】
操作部６１は、ユーザーによる直接操作、例えばテレビ放送（番組）のチャンネル（放送局）の選択、番組の録画開始（ＲＥＣ）あるいは録画した番組の再生（ＰＬＡＹ）、等に対応する制御コマンドを主制御ブロック５１に入力する。
【００２５】
受信部６２は、リモコン端末（リモートコントローラ）７１からの指示（操作入力）、例えばチャンネル（放送局）の選択（選局）、録画開始（ＲＥＣ）、録画した番組の再生（ＰＬＡＹ）、一時停止（ＰＡＵＳＥ）、特殊再生、あるいはメニュー表示等に対応するコマンドを主制御ブロック５１に入力する。なお、リモコン端末７１は、後段に説明するカラーボタン表示に対応する制御指示の入力のための対応する［青］キー７１Ｂ、［赤］キー７１Ｒ、［緑］キー７１Ｇ及び［黄］キー７１Ｙを含む。
【００２６】
通信インターフェース６３は、例えばＷｉＦｉ（Wireless Fidelity）規格等に準拠する近距離無線通信機器との間の無線通信を実現する。なお、近距離無線通信規格としては、例えばBluetooth（登録商標）規格やＮＦＣ（Near Field Communication）等も利用可能である。通信インターフェース６３は、例えばタブレット端末（スマートフォンや、携帯可能なＰＣ（パーソナルコンピュータ））との間の直接通信を行う。なお、通信インターフェース６３は、有線方式／無線方式のいずれであってもよく、例えば無線方式のカード媒体との間の非接触通信が可能な通信ユニット（リーダ／ライタ）８１、等が接続する。なお、通信ユニット８１は、例えばワイヤレスキーボードやマウス等との間の無線方式／有線方式の信号の受け渡しを可能とする個別のインターフェースであってもよい。
【００２７】
ネットワーク制御部６４は、外部ネットワークＮＴＷへのアクセスと外部ネットワークＮＴＷ上のさまざまなサービスサーバー、例えばＴｉｍｅＯｎサーバーやＳＮＳ（Social Network Service）サーバーからの情報の取得のための入力情報の送信や情報の取得（受信）、等を制御する。
【００２８】
ＵＳＢインターフェース６５は、ＵＳＢ規格に対応する記憶装置（ＵＳＢＨＤＤ）６や外部装置、例えばキーボード等の利用を可能とする。なお、ＵＳＢインターフェース６５に記憶装置６を接続した場合、ユーザーが指定する特定のチャンネル（放送事業者や配信事業者）及び所定の時間帯の番組を一定期間の間、全て（丸ごと）記録するタイムシフト録画が可能である。
【００２９】
ＨＤＭＩインターフェース（制御部）６６は、ＨＭＤＩ（High-definition Digital Media Interface（登録商標））規格またはＭＨＬ（Mobile High-definition Link）規格を利用する機器相互間の有線通信を可能とする。なお、ＨＤＭＩインターフェース６６には、テレビ装置１と独立に番組を記録するレコーダー装置、あるいはホームサーバーを用いるホームネットワークにおいてホームサーバーと接続する他のレコーダー装置やテレビ装置が接続する。これにより、テレビ装置１が受信して記憶装置６に記録した番組をホームサーバーと接続する他のテレビ装置にて視聴可能である。また、テレビ装置１は、レコーダー装置あるいはホームサーバーと接続する他のレコーダー装置が記録した番組を、再生できる。
【００３０】
記憶装置６７は、ユーザーがチャンネル（または番組名）と日時とを指定して番組単位で録画する予約録画のための録画予約の情報を保持する。なお、録画予約の登録／削除、等、については、後段に説明する予約制御部５９が受け持つ（予約制御部５９が録画予約の登録／削除、等、を制御する）。また、記憶装置６７は、例えば有料チャンネルの契約情報やＣＰＵ５２（主制御ブロック５１）が参照するアップデート情報及びアップデート情報に対応するアップデートプログラムあるいはコピーコントロール情報、等の外部からの書き換え可能な情報を保持する。なお、記憶装置６７は、例えばカード状もしくは携帯可能な任意の形状であって、テレビ装置１から取り外し可能／テレビ装置１に装着可能であってもよい。
【００３１】
主制御ブロック５１は、ＲＡＭ５４が提供する作業エリアにおいて、ＲＯＭ５３が保持する制御プログラムに基づき、ＣＰＵ５２の制御に従い、入力信号や制御信号に対応する処理を実行する。
【００３２】
ＣＰＵ５２（主制御ブロック５１）は、操作部６１からの操作情報（制御入力）や受信部６２が受信するリモコン端末７１からの操作情報（制御入力）に基づいて、記録／再生処理部５６、番組情報取得部５７、番組表生成部５８及び予約制御部５９、を制御する。ＣＰＵ５２はまた、各種の設定情報や、ホームネットワークにおいてホームサーバーと接続する他のレコーダー装置やテレビ装置に関する管理情報、等をＮＶＭ５５に書き込む。
【００３３】
ＣＰＵ５２は、例えばユーザーによる操作指示（制御入力）あるいは予約録画のための録画予約に基づいて記録／再生処理部５６を制御し、映像デコーダ２２及び音声デコーダ３２が出力する映像信号や音声信号等を記憶装置６に記録する。なお、記録／再生処理部５６は、記憶装置６への映像信号や音声信号等の記録時には、映像信号や音声信号等を暗号化処理し、所定の記録フォーマットに変換する。記録／再生処理部５６はまた、ユーザー操作に基づくモコン端末７１、等からの指示入力に応答して、記憶装置６から所望の映像信号や音声信号等を読み出して復号し、映像デコーダ２２及び音声デコーダ３２に供給する。
【００３４】
ＣＰＵ５２はまた、ＮＶＭ５５もしくはＲＯＭ５３が保持するプログラムまたはアプリケーションあるいはＣＰＵ５２のファームウェアに従い、番組情報取得部５７を制御し、番組に付属する、さまざまな情報を取得する。番組情報取得部５７は、例えば信号処理部（ＴＳ分離部）１２が分離するＴＳに付属する制御情報のうちのＰＳＩまたはＳＩから番組情報、例えば視聴制限年齢情報やＥＰＧ（電子番組表）情報、あるいは再放送番組であること、等を取得する。また、番組情報取得部５７は、入力部１１が受信可能な全てのチャンネル（放送局）の番組について、例えば８日分、番組情報（放送スケジュール）を取得し、例えばＲＡＭ５４あるいは記憶装置６７に格納する。
【００３５】
番組表生成部５８は、ＣＰＵ５２による制御の下で、番組情報取得部５７が取得した電子番組表情報に基づき、ＯＳＤ処理部２４を経由してディスプレイ２６が表示する番組表表示のための番組表データを生成する。番組表データは、ＯＳＤ処理部２４が番組表表示信号に変換し、表示制御部２５に出力する。
【００３６】
予約制御部５９は、ＣＰＵ５２による制御の下で、番組表生成部５８が生成し、ＯＳＤ処理部２４を経由してディスプレイ２６が表示する番組表表示からのユーザー指示（操作入力）に基づいて、番組の予約録画のための録画予約を受けつける。
【００３７】
なお、記録／再生処理部５６、番組情報取得部５７、番組表生成部５８及び予約制御部５９のそれぞれ、あるいは少なくとも１つ、もしくは任意数のいくつかは、ＣＰＵ５２のファームウェアであってもよい。
【００３８】
ＣＰＵ５２はまた、ディスプレイ２６が表示する画面表示において特定の機能に対する操作入力を受けつけるカラーボタン表示（［青］ボタン表示２６Ｂ、［赤］ボタン表示２６Ｒ、［緑］ボタン表示２６Ｇ及び［黄］ボタン表示２６Ｙ）のそれぞれに対応するリモコン端末７１からの操作入力を受けつける。すなわち、ＣＰＵ５２は、リモコン端末７１の［青］キー７１Ｂ、［赤］キー７１Ｒ、［緑］キー７１Ｇ及び［黄］キー７１Ｙの何れかのキーの操作を画面表示された特定の色のボタンに対応する指示と判断し、そのキーの操作入力に対応する指示を受けつける。
【００３９】
図２に、番組表生成部が生成する番組表データに対応する番組表表示（ディスプレイが表示する画像表示）の一例を示す。
【００４０】
番組表画面表示２０１は、所定数のチャンネル（放送局）が放送する番組を表示するチャンネル表示欄２０１Ａ−２０１Ｉ（行方向）、時間帯表示欄２０１−１０及び日時表示欄２０１−１１を少なくとも含む。
【００４１】
図２が示す番組表画面表示２０１においては、チャンネル表示欄２０１Ａが表示するチャンネルのＰＭ４：００−ＰＭ５：３０の番組Ａ０１、同２０１Ｃが表示するチャンネルのＰＭ７：３０−ＰＭ９：００の番組Ｃ０１、同２０１Ｇが表示するチャンネルのＰＭ３：００−ＰＭ４：００の番組Ｇ０１、及び同２０１Ｈが表示するチャンネルのＰＭ６：００−ＰＭ７：３０の番組Ｈ０１に、録画予約が登録されているものとする。また、入力部（チューナ部）１１は、上述した通り、２チャンネル分（２つのチューナ）が、地上／ＢＳ／ＣＳデジタル放送の番組の何れかを選局できる３波チューナであり、１チャンネル分（１つのチューナ）がＢＳ／ＣＳデジタル放送の番組の何れかを選局できる２波チューナであり、合計３つのチューナを含む。なお、チャンネル表示欄２０１Ｈが表示するチャンネルのＰＭ６：００−ＰＭ７：３０の番組Ｈ０１は、３波チューナの何れか一方が受信するものとする。
【００４２】
ここで、図２のチャンネル表示欄２０１Ｄが表示するチャンネルのＰＭ５：３０−ＰＭ９：００の番組Ｄ０１を予約録画するため、リモコン端末７１によって同番組表示にフォーカスをあてて録画予約を指示したとすると、図３が示すように、重複予約確認／取消画面表示３０１を表示する。なお、同一番組であることは、例えばＰＳＩ／ＳＩが含む番組ＩＤ（番組情報）や、ＥＰＧのための文字情報、例えば「新番組」を示すコード（符号）や番組タイトルや番組説明中の文字列、あるいはシリーズ番号、等、既に利用されているさまざまな情報の１つ以上から、容易に判断できる。
【００４３】
重複予約確認／取消画面表示３０１は、日時表示欄３０１−１１、新規予約番組表示欄３０１−２１、重複予約番組表示欄３０１−３１及び３０１−３２、新規予約番組表示欄３０１−２１が表示する録画予約対象の番組の別の日時／チャンネルの放送がある場合の予約変更候補表示欄３０１−４１及び表示欄スクロールボタン３０１−５１、を表示する。なお、図３が示す表示例は、新規予約番組表示欄３０１−２１が表示する番組と同じ番組が他の時間に放送される場合の例を示し、選択した新規予約番組と同じ番組が予約変更候補表示欄３０１−４１に表示されている例である。
【００４４】
新規予約番組表示欄３０１−２１、重複予約番組表示欄３０１−３１、同３０１−３２及び予約変更候補表示欄３０１−４１のそれぞれは、それぞれの欄が表示する番組を選択するための選択入力を受けつけるチェックボックス３０１−２１Ａ、３０１−３１Ａ、３０１−３２Ａ及び３０１−４１Ａを含む。個々のチェックボックス３０１−２１Ａ、３０１−３１Ａ、３０１−３２Ａ及び３０１−４１Ａへのチェックの有無は、相互に関連付けられることが好ましい。例えば、重複予約を解消するために新規予約を削除するために新規予約番組表示欄３０１−２１のチェックボックス３０１−２１Ａにチェックを入れたとする。その後、重複予約番組表示欄３０１−３１及び３０１−３２の何れか一方のチェックボックス３０１−３１Ａあるいは３０１−３２Ａにチェックを入れた場合、新規予約のチェックボックス３０１−２１Ａのチェックが解除されることが好ましい。同様に、新規予約番組表示欄３０１−２１のチェックボックス３０１−２１Ａにチェックを入れた後に、予約変更候補表示欄３０１−４１のチェックボックス３０１−４１Ａにチェックを入れた場合、新規予約のチェックボックス３０１−２１Ａのチェックが解除されるよう、相互に関連付けられることが好ましい。
【００４５】
表示欄スクロールボタン３０１−５１は、予約変更候補表示欄３０１−４１が表示する予約変更候補の番組が複数である場合に表示する。スクロールボタン３０１−５１がオンされた場合、図１０が示すように、予約変更候補の番組を順に表示するのものとする。また、予約変更候補の番組が複数である場合においてスクロールボタン３０１−５１がオンされた場合に、画面表示３０１において表示されなくなった予約変更候補の番組を表示するための逆方向のスクロールを可能とするスクロールボタン３０１−５２を表示する。
【００４６】
図３が示す重複予約確認／取消画面表示３０１においては、ユーザーが新規予約の登録を変更するか、新規予約をやり直すか、に基づいて、次の画面表示を表示する。
【００４７】
なお、図３が示す重複予約確認／取消画面表示３０１は、既に設定されている録画予約を変更しないことを前提としている。
【００４８】
例えば、新規予約番組表示欄３０１−２１のチェックボックス３０１−２１Ａにチェックを入れた場合、図４に示すように、「『新規予約を取り消しします』／『予約変更候補をそのまま録画予約する場合は、［決定］を押してください』」、等の新規予約の変更を促すメッセージ４１１を、画面表示３０１の表示内容に重ねて表示する。なお、［決定］の指示入力は、例えば画面表示３０１内に表示する［決定］ボタンに対するリモコン端末７１からの操作入力であってもよいし、リモコン端末７１の決定キーのオン（押下）であってもよい。また、［決定］の指示入力は、画面表示３０１内の［決定］の指示入力を規定するボタンの色に対応する色のカラーキー、例えば［赤］キー７１Ｒのオン（押下）により、入力できる。この場合、画面表示３０１内に表示する［決定］ボタンが、カラーボタン表示のうちの、例えば［赤］ボタン表示２６Ｒに割り当てられていることになる。なお、画面表示３０１が表示する［決定］ボタンは、必ずしも『決定』という表示に限るものではなく、ユーザーの操作入力の意思を特定できる任意（特定）の表示であってよい。
【００４９】
反面、いずれのチェックボックスにもチェックがない場合、一定時間（期間）経過後、図５に示すように、「『新規予約を取り消す場合、［戻る］を押してください』」、等の録画予約のやり直しを促すメッセージ５１１を、画面表示３０１の表示内容に重ねて表示する。なお、戻るキーがオンされること無く所定時間、例えば３分が経過した場合は、タイムアウト処理として新規予約の登録の受けつけを中止することが好ましい。また、図５において、［戻る］の指示入力は、画面表示３０１内の［戻る］の指示入力を規定するボタンの色に対応する色のカラーキー、例えば［黄］キー７１Ｙのオン（押下）により、入力できる。この場合、画面表示３０１内に表示する［戻る］ボタンは、カラーボタン表示のうちの、例えば［黄］ボタン表示２６Ｙに割り当てられていることになる。なお、画面表示３０１内に表示する［戻る］ボタンは、必ずしも『戻る』という表示に限るものではなく、ユーザーの操作入力の意思を特定できる任意の（特定の）表示であってよい。
【００５０】
図６は、図３−図５が示す新規予約の登録の変更とやり直しの判定を、ソフトウェア的に示す。
【００５１】
ユーザー指示（録画予約）に基づいて、番組表を表示する［６０１］。
【００５２】
番組表画面表示が表示する任意の番組の録画予約の指示に基づいて、録画予約登録を起動する［６０２］。
【００５３】
番組表画面表示から新規録画予約番組として選択した番組が録画可能であるか否か、すなわち既に登録されている録画予約の番組の数が同時に録画可能な番組の数の上限に達していない（重複予約に該当しない）こと、を判定する［６０３］。新規録画予約番組が予約可能である場合［６０３−ＹＥＳ］、選択した番組の録画予約を登録する［６０４］。
【００５４】
新規録画予約番組が重複予約により予約できない場合［６０３−ＮＯ］、重複予約確認／取消画面表示（図３）を表示する［６０５］。
【００５５】
表示した重複予約確認／取消画面表示に対して、重複予約を解消するための新規予約の削除が指示された（重複予約確認／取消画面表示において新規予約番組の削除もしくは予約変更候補番組の選択が指示された）場合［６０６−ＹＥＳ］、録画予約を登録する［６０４］。
【００５６】
表示した重複予約確認／取消画面表示に対して、重複予約を解消するための新規予約の削除が指示された（重複予約確認／取消画面表示において新規予約番組の削除もしくは予約変更候補番組の選択が指示された）場合［６０６−ＮＯ］、一定時間経過後［６０７−ＹＥＳ］、録画予約のやり直しを促すメッセージ（［戻る］）を表示する［６０８］。
【００５７】
録画予約のやり直しを促すメッセージに応答して録画予約を取り消した（録画予約のやり直しが選択した）場合［６０９−ＹＥＳ］、番組表を再び表示する［６０１］。
【００５８】
録画予約のやり直しを促すメッセージに応答がない場合［６０９−ＮＯ］、一定時間経過後、録画予約登録を終了する。
【００５９】
図７は、図３が示す重複予約確認／取消画面表示において、新規予約番組が他の時間に放送されていない場合、等において新規予約番組の録画予約を優先して登録する例を示す。すなわち、図７が示す重複予約確認／取消画面表示は、予約変更候補表示欄７０１−４１に、既に録画予約が登録されている番組と同じ番組が他の時間に放送される場合の例を示す。これにより、新規予約しようとしている番組が、他の時間もしくは他のチャンネルで放送されない場合であって、既に録画予約が登録されている番組が、他の時間もしくは他のチャンネルで放送されている場合に、両者の録画予約が可能になる。
【００６０】
図７が示す重複予約確認／取消画面表示７０１においては、ユーザーが新規予約の登録を変更するか、新規予約をやり直すか、に基づいて、次の画面表示を表示する。例えば、新規予約番組表示欄７０１−２１のチェックボックス３０１−２１Ａにチェックを入れた場合、図８に示すように、「『新規予約対象の番組は別の時間の放送が確認できていません』／『録画予約済みの重複番組をそのまま録画予約する場合は、決定キーを押してください』」、等、の新規予約変更メッセージ８１１を、画面表示７０１の表示内容に重ねて表示する。これにより、他の時間やチャンネルで放送されることが特定できていない新規予約対象番組の録画（予約録画）が欠落することを防止できる。
【００６１】
図９及び図１０は、図３が示す重複予約確認／取消画面表示において、新規予約番組もしくは重複予約番組の何れかまたは両者が、再放送番組として放送されている場合の画面表示の例を示す。すなわち、図９が示す重複予約確認／取消画面表示は、予約変更候補表示欄９０１−４１に、既に録画予約が登録されている番組あるいは新規予約番組と同じ番組が他の時間に、再放送番組として別の時間に放送される場合の例を示す。これにより、新規予約しようとしている番組あるいは既に録画予約されている番組の何れか一方の録画予約を削除することを、ユーザーが選択可能となる。なお、図９に示すように、他の時間もしくは他のチャンネルで放送されている同一番組あるいはシリーズ番組が複数存在し、１つの画面表示内に表示しきれない場合には、表示欄スクロールボタン９０１−５１を表示し、表示されていない番組が存在することを報知する。また、図１０に示すように、表示欄スクロールボタン９０１−５１がオンされたことにより、画面表示９０１において表示されなくなった予約変更候補の番組を表示するための逆方向のスクロールを可能とするスクロールボタン１００１−５２を表示する。これにより、ユーザー操作（指示入力）により、全ての変更候補番組を確認できる。
【００６２】
なお、図１０が示すように、新規予約の番組と同じ番組が、他の複数の時間帯に、再放送番組として放送される場合、同時に録画可能な番組の数に余裕がある時間帯に放送がある再放送番組のみを表示することが好ましい。また、重複予約が発生し、予約変更の対象となる再放送番組が見つかっているとしても、その時間帯に既に別の番組の録画予約があり、同時に録画可能な番組の数の上限に達している場合には、その再放送番組は、録画できないので、表示しないことが好ましい。例えば、同時に録画可能な番組の数がチューナ部の受信する番組の数よりも少ない場合は、予約変更の対象となる再放送番組が見つかっているとしても、その時間帯の既に録画予約されている別の番組の録画予約があって同時に録画可能な番組の数の上限に達している場合、その再放送番組は、録画できない。すなわち、重複予約が生じた場合であって、予約変更の対象となる番組が見つかっている場合であっても録画予約の数が同時に録画可能な番組の上限に達している場合には、再放送番組であっても、予約変更の対象から除外して表示する。
【００６３】
なお、予約変更の候補となる再放送が１回のみである再放送番組については、再放送が存在するが、さらに別の録画予約の重複予約が生じて、予約を変更できないことを、画面表示、等によりユーザーに報知してもよい。
【００６４】
また、図９に示す重複予約確認／取消画面表示９０１においては、図１１に示すように、「『重複予約が発生しています』、『新規予約または録画予約の何れかを取り消してください』」、等、の重複予約を解消する必要が生じていることを示す予約変更推奨メッセージ１１１１を、画面表示９０１の表示内容に重ねて表示することが好ましい。
【００６５】
なお、録画予約が重複した（録画予約の番組の数が同時に録画可能な番組の数の上限に達した）場合、単に、『録画予約が重複した（同時に録画可能な番組の数の上限に達した）』ことを画面表示し、新規の録画予約を登録できない機能としてもよい。
【００６６】
このように、実施形態を適用することで、他の時間やチャンネルで放送する同一番組が録画予約時に重複して同時に録画可能な番組の数の上限に達した場合、録画予約対象の番組、もしくは他の時間やチャンネルで放送する同一番組の何れかの録画予約を変更することで、録画（予約録画）が欠落することを防止できる。また、他の時間やチャンネルで放送されることが特定できていない新規予約対象番組の録画予約が他の時間やチャンネルで放送する同一番組の録画予約と重複して同時に録画可能な番組の数の上限に達した場合、他の時間やチャンネルで放送する同一番組の録画予約を変更することで、新規の録画（予約録画）が欠落することを防止できる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１…テレビ装置（電子機器）、６…記憶装置、１１…入力部（チューナ部）、１２…信号処理（ＴＳ分離）部、２１…映像処理ブロック、３１…音声処理ブロック、５１…主制御ブロック、５２…ＣＰＵ、５６…記録／再生処理部、５７…番組情報取得部、５８…番組表生成部、５９…予約制御部。
【図１】
2019154052.tif 000003
【図２】
2019154052.tif 000004
【図３】
2019154052.tif 000005
【図４】
2019154052.tif 000006
【図５】
2019154052.tif 000007
【図６】
2019154052.tif 000008
【図７】
2019154052.tif 000009
【図８】
2019154052.tif 000010
【図９】
2019154052.tif 000011
【図１０】
2019154052.tif 000012
【図１１】
2019154052.tif 000013